(57)【要約】      （修正有）【課題】使用上の安全性を向上させる、指紋識別機能を具備したワイヤレスインダクティブデバイスを提供する。【解決手段】指紋識別機能を具備したワイヤレスインダクティブデバイス１であって、ケース、コイル２０、チップ３０及び指紋識別モジュール４０を含み、コイル２０はケース内に設置され、チップ３０はケース内に設置されて、コイル２０に電気的に接続され、指紋識別モジュール４０はケース内に設置されて、コイル２０及びチップ３０に電気的に接続され、かつ指紋検出器４２を含む。【選択図】図２
0003234555.tif 000002
【実用新案登録請求の範囲】
【請求項１】
ケースと、
前記ケース内に設置されるコイルと、
前記ケース内に設置され、前記コイルに電気的に接続されるチップと、
前記ケース内に設置され、前記コイル及び前記チップに電気的に接続され、指紋検出器を含む指紋識別モジュールとを備える、指紋識別機能を具備したワイヤレスインダクティブデバイス。
【請求項２】
設置溝が設けられているボトムケースと、
前記ボトムケース上に結合されているトップカバーとを備える指紋識別機能を具備したワイヤレスインダクティブデバイスであって、
前記コイル、前記チップ及び前記指紋識別モジュールは前記設置溝に設置され、かつ前記トップカバーは前記設置溝上に被せられ、前記コイル、前記指紋識別モジュール及び前記チップは前記トップカバーと前記ボトムケースとの間に設置される、請求項１に記載の指紋識別機能を具備したワイヤレスインダクティブデバイス。
【請求項３】
前記指紋識別モジュールは前記コイル及び前記チップの上方に設置される、請求項２に記載の指紋識別機能を具備したワイヤレスインダクティブデバイス。
【請求項４】
前記ボトムケースに第１貫通孔が設けられ、前記トップカバーに第２貫通孔が設けられ、前記第１貫通孔の位置は前記第２貫通孔に対応し、かつ前記第１貫通孔は前記第２貫通孔に連通する、請求項２に記載の指紋識別機能を具備したワイヤレスインダクティブデバイス。
【請求項５】
前記ケースに開口が備わり、前記指紋検出器は前記ケースの前記開口に露出する、請求項１に記載の指紋識別機能を具備したワイヤレスインダクティブデバイス。
【請求項６】
前記指紋検出器に指紋検出面が備わり、前記指紋検出面は前記ケースの前記開口内に設けられ、かつ前記指紋検出面と前記ケースの表面は同一平面上にある、請求項５に記載の指紋識別機能を具備したワイヤレスインダクティブデバイス。
【請求項７】
前記ケース内に設置され、前記コイル、前記チップに電気的に接続されるステータスランプを含む、請求項１に記載の指紋識別機能を具備したワイヤレスインダクティブデバイス。
【請求項８】
前記ケースに孔が設けられ、前記ステータスランプは前記ケースの前記孔に露出する、請求項７に記載の指紋識別機能を具備したワイヤレスインダクティブデバイス。
【請求項９】
前記チップにプリセット指紋データ及び認証データが保存され、かつ前記チップは前記指紋識別モジュールによって採取された指紋データを受信し、前記チップは前記指紋データを前記プリセット指紋データと照合し、前記指紋データが前記プリセット指紋データと同一であるかどうかを判定し、前記チップが、前記指紋データが前記プリセット指紋データと同一であると判定した場合、前記チップは前記コイルを介して前記認証データを外部に出力する、請求項１に記載の指紋識別機能を具備したワイヤレスインダクティブデバイス。
【請求項１０】
前記チップは前記指紋データと前記プリセット指紋データの照合結果に基づいてステータスランプにステータス信号を出力し、前記ステータスランプは前記ステータス信号に基づいてランプ信号を制御する、請求項９に記載の指紋識別機能を具備したワイヤレスインダクティブデバイス。
【請求項１１】
前記ケース内に設置され、前記ケース、前記コイル、前記チップ及び前記指紋識別モジュールを固定する結合体を含む、請求項１から１０のいずれか１項に記載の指紋識別機能を具備したワイヤレスインダクティブデバイス。
【考案の詳細な説明】
【技術分野】
【０００１】
ワイヤレスインダクティブデバイス、指紋識別機能を具備したワイヤレスインダクティブデバイスに関する。
【背景技術】
【０００２】
ワイヤレスインダクティブデバイスは通常、無線周波数識別（Ｒａｄｉｏ  Ｆｒｅｑｕｅｎｃｙ  Ｉｄｅｎｔｉｆｉｃａｔｉｏｎ，ＲＦＩＤ）技術を用い、誘導コイル及びチップを含み、該チップは該誘導コイルに電気的に接続される。ワイヤレスインダクティブデバイスがインダクティブリーダに接近したときに、かつ該インダクティブリーダから発した交流磁場が検出されたときに、電磁誘導の作用により、該誘導コイルは電流を生成して該チップに供給し、さらに該チップがその内部に保存されたデータに基づいて当該データをインダクティブリーダに伝送する。それにより、該インダクティブリーダが該データに基づいて該ワイヤレスインダクティブデバイスを識別できるようにする。
【０００３】
従来のワイヤレスインダクティブデバイスは企業、学校等の場所の入出管理や人員の識別によく使用されている。例えば、各従業員が所有する該ワイヤレスインダクティブデバイスは異なる従業員データを保存することができ、企業のインダクティブリーダは、ワイヤレスインダクティブデバイスから伝送された該従業員データを受信して、該従業員データに基づいて従業員の身分（ＩＤ）を識別する。
【０００４】
しかしながら、従来のワイヤレスインダクティブデバイスは、身分又はデータの認証を行うために事前に保存されたデータをインダクティブリーダに提供するだけであり、その場で所有者の身分を確認することはできない。他人のワイヤレスインダクティブデバイスを悪意に入手することにより、他人の身分を不正使用することで検証を行うことが可能である。よって、使用上の安全性を向上するために現在のワイヤレスインダクティブデバイスは更なる改良が必要である。
【考案の概要】
【考案が解決しようとする課題】
【０００５】
したがって、本考案は指紋識別機能によって所有者の身分を識別することにより、ワイヤレスインダクティブデバイスの使用上の安全性を向上させる、指紋識別機能を具備したワイヤレスインダクティブデバイスを提供する。
【課題を解決するための手段】
【０００６】
前述の目的を達成するために、本考案の指紋識別機能を具備したワイヤレスインダクティブデバイスは、
ケースと、
該ケース内に設置されるコイルと、
該ケース内に設置され、該コイルに電気的に接続されるチップと、
該ケース内に設置され、該コイル及び該チップに電気的に接続され、指紋検出器を含む指紋識別モジュールとを備える。
【考案の効果】
【０００７】
本考案のワイヤレスインダクティブデバイスは、入出管理用電子キーを例にすると、本考案のワイヤレスインダクティブデバイスがインダクティブリーダに接近すると、該コイルは、該チップと該指紋識別モジュールに動作電源として誘導電源を生成することができる。本考案は該指紋識別モジュールの設置により、使用者の指が該ケースの表面に触れることができ、該指紋識別モジュールにその場で使用者の指紋データを採取させることができ、該チップは該コイルを介して該インダクティブリーダに認証データを出力することができ、それにより身分の識別を行えるようにする。指紋は唯一性のある生物の特徴であるため、たとえ該入出管理用電子キーが悪意のある人に入手されたとしても、該悪意のある人の指紋データは該入出管理用電子キーの本来の所有者の指紋データと同一ではなく、該悪意のある人は該インダクティブリーダの認証を通過することはできない。したがって、既存のワイヤレスインダクティブデバイスと比べ、本考案は、リアルタイムの該指紋データを認証根拠として提供することで、ワイヤレスインダクティブデバイスの使用上の安全性を向上させる。
【図面の簡単な説明】
【０００８】
【図１】実施例１に係る本考案の指紋識別機能を具備したワイヤレスインダクティブデバイスの立体外観概略図である。
【図２】実施例１に係る本考案の指紋識別機能を具備したワイヤレスインダクティブデバイスの立体分解概略図である。
【図３】実施例１に係る本考案の指紋識別機能を具備したワイヤレスインダクティブデバイスの平面概略図である。
【図４】実施例１に係る本考案の指紋識別機能を具備したワイヤレスインダクティブデバイスの局部断面概略図（図３のＡ−Ａ線による）である。
【図５】実施例１に係る本考案の指紋識別機能を具備したワイヤレスインダクティブデバイスのブロック概略図である。
【図６】実施例２に係る本考案の指紋識別機能を具備したワイヤレスインダクティブデバイスの立体外観概略図である。
【考案を実施するための形態】
【０００９】
図１及び図２に示すように、実施例１において、本考案の指紋識別機能を具備したワイヤレスインダクティブデバイス１は外部のインダクティブリーダと信号伝送を行うことができる。本考案のワイヤレスインダクティブデバイス１は入出管理用電子キー、電子ロックキーなどのインダクティブキーであってもよいが、これらに限定されない。該指紋識別機能を具備したワイヤレスインダクティブデバイス１はケース１０、コイル２０、チップ３０及び指紋識別モジュール４０を含んでおり、又は／さらに結合体５０及びステータスランプ６０を含み、このうち該結合体５０は図２に示されていない。
【００１０】
該コイル２０、該チップ３０、該指紋識別モジュール４０及び該結合体５０は該ケース１０内に設置される。該ケース１０はボトムケース１１及びトップカバー１２を含んでもよく、該ボトムケース１１には該コイル２０、該チップ３０及び該指紋識別モジュール４０を設置するための設置溝１１１が設けられており、該トップカバー１２は該ボトムケース１１上に結合され、かつ該トップカバー１２には開口１２１が設けられており、該開口１２１は該トップカバー１２の上面及び下面を貫通する。ここで、該トップカバー１２は該設置溝１１１上に被せられ、該コイル２０、該チップ３０及び該指紋識別モジュール４０は該トップカバー１２と該ボトムケース１１の間に設置される。
【００１１】
該コイル２０は該設置溝１１１に設置され、回路が螺旋状に巻回されて形成されてもよく、該コイル２０は銅、銀などの導電性金属で構成されてもよい。本実施例において、該コイル２０は円形の巻回構造を呈するが、該コイル２０はまた、方形の巻回構造を呈してもよく、本実施例によって制限されるものではない。
【００１２】
さらに、図３、図４及び図５に示すように、該チップ３０は該設置溝１１１に設置されて、該コイル２０に電気的に接続され、かつ該チップ３０には近距離無線通信（Ｎｅａｒ−ｆｉｅｌｄ ｃｏｍｍｕｎｉｃａｔｉｏｎ， ＮＦＣ）又は無線周波数識別（Ｒａｄｉｏ Ｆｒｅｑｕｅｎｃｙ Ｉｄｅｎｔｉｆｉｃａｔｉｏｎ， ＲＦＩＤ）技術を用いてもよい。本実施例において、該チップ３０の位置は該コイル２０の位置とずれてもよく、例えば、該コイル２０が該チップ３０の周囲を巻回するなどしてもよいが、本実施例によって制限されるものではない。
【００１３】
該指紋識別モジュール４０は該設置溝１１１に設置され、該コイル２０及び該チップ３０の上方に位置してもよく、該コイル２０及び該チップ３０に電気的に接続され、かつ該指紋識別モジュール４０は回路基板４１と指紋検出器４２を含んでおり、該指紋検出器４２は該回路基板４１上に設けられ、また、該指紋検出器４２には指紋検出面４２０が備えられ、使用者の指が該指紋検出面４２０に置かれると、該指紋識別モジュール４０は使用者の指紋を採取して指紋データＡを取得することができる。該指紋データＡは使用者の指紋データを含み、該指紋識別モジュール４０が該指紋データＡを該チップ３０に伝送し、該チップ３０が該コイル２０を経由して該指紋データＡを外部の該インダクティブリーダに伝送することにより、身分認証を行う。本実施例において、該指紋検出面４２０は該トップカバー１２の該開口１２１内に設けられ、使用者の指紋を検出するために該指紋検出面４２０は該トップカバー１２に露出され、かつ該指紋検出面４２０は該トップカバー１２の上面と同一平面にすることができ、使用者が該指紋検出面４２０に指を置いたとき、使用者は該指紋検出面４２０と該トップカバー１２の間の凹凸感を感じない。
【００１４】
該結合体５０は該ケース１０内に設置され、該ケース１０の該ボトムケース１１及び該トップカバー１２、該コイル２０、該チップ３０及び該指紋識別モジュール４０を固定し、かつ該結合体５０は該ボトムケース１１の該設置溝１１１内に設置され、該結合体５０によって該設置溝１１１内の該コイル２０、該チップ３０及び該指紋識別モジュール４０が固定されて、該コイル２０、該チップ３０及び該指紋識別モジュール４０が揺れたり、脱落したりすることを防止し、また、該結合体５０によって該ボトムケース１１が該トップカバー１２と結合される。ここで、該結合体５０は硬化した接着剤であってよく、前記接着剤は、アクリル酸、エポキシ樹脂、ポリウレタンなどの成分を含むか、或いは二液接着剤であってもよく、該結合体５０はまた硬化したポリ塩化ビニル又はポリエチレンテレフタレートであってもよい。実施例において、該結合体５０はコールドプレス製法より形成することができる。本考案の指紋識別機能を具備したワイヤレスインダクティブデバイス１を取り付ける時に、まず、該コイル２０、該チップ３０及び該指紋識別モジュール４０を該ボトムケース１１の該設置溝１１１内に設置し、次に該設置溝１１１内に接着剤を充填し、該設置溝１１１の上で該トップカバー１２を覆う。該トップカバー１２によって接着剤が加圧され、接着剤が硬化した後に該結合体５０が形成され、該結合体５０によって、該ボトムケース１１、該トップカバー１２、該コイル２０、該チップ３０及び該指紋識別モジュール４０が固定される。別の実施例において、該結合体５０はホットプレス製法により形成することができる。本考案の指紋識別機能を具備したワイヤレスインダクティブデバイス１を取り付ける時に、まず、該コイル２０、該チップ３０及び該指紋識別モジュール４０を該ボトムケース１１の該設置溝１１１内に設置し、次に該設置溝１１１内にホットメルト片を配置し、該設置溝１１１上で該トップカバー１２を覆い、ホットメルト片を加熱する。該トップカバー１２によって該ホットメルト片を加圧することにより、ホットメルト片が該設置溝１１１内に溶けて、該ボトムケース１１、該トップカバー１２、該コイル２０、該チップ３０及び該指紋識別モジュール４０の間に塗布され、再度硬化すると、該結合体５０が形成される。
【００１５】
該ステータスランプ６０は該コイル２０、該チップ３０に電気的に接続され、かつ該指紋識別モジュール４０の該回路基板４１上に設置されることができる。また、該トップカバー１２に孔が設けられることができる。該孔は該トップカバー１２の上面及び下面を貫通し、該ステータスランプ６０は該トップカバー１２の該孔内に設けられ、該ステータスランプ６０は使用者が観察できるように該トップカバー１２に露出させ、かつ該ステータスランプ６０は該トップカバー１２の上面と同一平面にすることができ、使用者が該トップカバー１２上に指を置いたとき、使用者は該ステータスランプ６０と該トップカバー１２の間の凹凸感を感じない。ここで、該ステータスランプ５０は発光ダイオード（ＬＥＤ）ランプであってもよい。
【００１６】
さらに、該チップ３０内部にはプリセット指紋データ及び認証データＲを事前に保存することができる。該プリセット指紋データは該指紋識別機能を具備したワイヤレスインダクティブデバイス１の所有者の指紋データであり、所有者が事前に該チップ３０内に保存することができ、該認証データＲは指紋識別機能を具備したワイヤレスインダクティブデバイス１の所有者の個人データや識別コードなど、外部デバイスが所有者を識別できるようにするデータであってもよい。該チップ３０が該指紋識別モジュール４０から出力された該指紋データＡを受信すると、該チップ３０は該指紋データＡをプリセット指紋データと照合して、該指紋データＡが該プリセット指紋データと同一であるかどうかを判定し、それにより指紋識別機能を具備したワイヤレスインダクティブデバイス１の現在の使用者が所有者本人であるかどうかを識別する。該チップ３０が、該指紋データＡが該プリセット指紋データと同一であると判定した場合、該チップ３０は該コイル２０を介して該認証データＲを該インダクティブリーダに出力して、該認証データＲに基づいて使用者の身分を識別する。また、該チップ３０が、該指紋データＡが該プリセット指紋データと同一でないと判定した場合、該チップ３０は該認証データＲを出力しない。
【００１７】
一方、該チップ３０が、該指紋データＡが該プリセット指紋データと同一であるかどうかを判定するとき、該チップ３０は判定結果に基づいて、ステータス信号Ｓを該ステータスランプ６０に出力し、該ステータスランプ６０は該ステータス信号Ｓに基づいてランプ信号を制御する。例えば、該指紋データＡが該プリセット指紋データと同一である場合、該ステータスランプ６０は該ステータス信号Ｓに基づいて緑色に点灯する、また、該指紋データＡが該プリセット指紋データと同一でない場合、該ステータスランプ６０は該ステータス信号Ｓに基づいて赤色に点灯する。使用者は該ステータスランプ６０のランプ信号状態に基づいて指紋照合の結果を知ることができる。
【００１８】
このほか、該ボトムケース１１に該ボトムケース１１の上面及び下面を貫通する第１貫通孔１１２が設けられており、また、該トップカバー１２に該トップカバー１２の上面及び下面を貫通する第２貫通孔１２２が設けられており、該第１貫通孔１１２の位置は該第２貫通孔１２２に対応する。ここで、該トップカバー１２は該ボトムケース１１に結合され、かつ該第１貫通孔１１２は該第２貫通孔１２２に連通され、該第１貫通孔１１２及び該第２貫通孔１２２により、止め輪又は紐などを設置できる。使用者が止め輪又は紐を介して該指紋識別機能を具備したワイヤレスインダクティブデバイス１を便利に持ち運ぶことができる。
【００１９】
図６に示すように、実施例２と実施例１の違いは、該トップカバー１２に該開口１２１がなく、該指紋検出器４２は画面下指紋認証センサであってもよい。使用者が該トップカバー１２の表面に指を置いたとき、該指紋検出器４２は該トップカバー１２の下から直接使用者の該指紋データＡを採取することができる。
【００２０】
本考案は、該指紋識別モジュール４０を介して現在の使用者の該指紋データＡを採取し、該チップ３０が、該指紋データＡが該プリセット指紋データと同一であると判定した場合、該チップは該コイル２０を介して該認証データＲを外部のインダクティブリーダに出力する。指紋は唯一性のある生物の特徴であるため、これにより他人が該指紋識別機能を具備したワイヤレスインダクティブデバイス１を不正使用又は誤用するのを防止できる。すなわち、使用者は、該指紋識別機能を具備したワイヤレスインダクティブデバイス１を使用して身分又はデータを検証する場合は、リアルタイムの該指紋データＡによって身分又はデータを検証するため、事前に保存されたデータのみを使用して身分又はデータを認証する既存のワイヤレスインダクティブデバイスと比べると、本考案はリアルタイムの該指紋データＡによって身分検証を行い、該指紋識別機能を具備したワイヤレスインダクティブデバイス１の盗用を回避し、ワイヤレスインダクティブデバイスの使用上の安全性を向上させる目的を達成する。
【符号の説明】
【００２１】
１：指紋識別機能を具備したワイヤレスインダクティブデバイス
１０：ケース
１１：ボトムケース
１１１：設置溝
１１２：第１貫通孔
１２：トップカバー
１２１：開口
１２２：第２貫通孔
２０：コイル
３０：チップ
４０：指紋識別モジュール
４１：回路基板
４２：指紋検出器
４２０：指紋検出面
５０：結合体
６０：ステータスランプ
Ａ：指紋データ
Ｒ：認証データ
Ｓ：ステータス信号
【図１】
0003234555.tif 000003
【図２】
0003234555.tif 000004
【図３】
0003234555.tif 000005
【図４】
0003234555.tif 000006
【図５】
0003234555.tif 000007
【図６】
0003234555.tif 000008